(57)【特許請求の範囲】
【請求項１】
内部にガス流路が設けられたガス機器のボディと、該ボディの開口から前記ボディ内に差し込まれて弁体を動作させるガスコックの操作軸と、前記ボディの開口面に取り付けられるベース板および該ベース板に付設されて、前記操作軸を保持する操作軸ガイドを有する操作軸保持手段と、前記操作軸ガイドと前記ベース板との間に設けられて、圧電装置の回動レバーを押圧するスプリングとを備えたガス機器の操作機構であって、
前記ベース板に設けられた一対の被係止部と、前記操作軸ガイドに前記被係止部と係合するように設けられた係止部とを有し、
前記被係止部は、前記ベース板に設けた係止縁または爪であり、前記係止部は、前記操作軸ガイドの脚部に設けた爪または係止縁であり、
前記爪の内側には膨出部からなる係止突起を形成し、
前記係止縁の前面には、傾斜面が形成され、前記係止縁に前記爪の前記係止突起が係合する際、前記爪は前記傾斜面をスライドして前記脚部を弾性変形させるようになっており、
前記操作軸ガイドを前記ベース板に係止させた仮止め状態で、前記操作軸ガイドおよび前記ベース板を前記ボディの前面に締結することを特徴とするガス機器の操作機構。
【発明の詳細な説明】
【０００１】
【発明の属する技術分野】
この発明は、ガス機器に装着されるガスコックなどの操作機構の組付作業の効率化および機械的強度の増大にかかわる。
【０００２】
【従来の技術】
ガスこんろなどガス機器のガスコックは、内部にガス流路が形成され、開閉弁、火力調整弁などが組み込まれた前面開口を有するボディと、該開口からボディ内に差し込まれた操作軸および該操作軸を回動および軸方向移動可能に保持する保持手段を備えた操作機構とからなる。操作軸の保持手段は、ガスコックのボディに締結されたベース板および該ベース板の前側に固定された操作軸ガイドを備えている。
【０００３】
従来の操作軸ガイドのベース板への取付けは、ベース板に加締め用の穴を形成し、この穴に操作軸ガイドの脚部に設けた爪部を差し込んで、専用のプレス機を使用して爪部を内側に折り曲げて固定しサブアッセンブリーを形成し、つぎに締結ネジでベース板をボディの前面に締結することによりなされていた。
【０００４】
【発明が解決しようとする課題】
従来のベース板と操作軸ガイドとの組付には専用のプレス機が必要であるとともに、加締めによる締結であるため操作軸ガイドに大きな力が繰り返し加わると経時的に塑性変形が進んで締結強度が緩む問題がある。
この発明の目的は、ベース板への操作軸ガイドの係止が手などで簡単にできるとともに、操作軸ガイドに大きな外力が加わっても緩みの発生を防止できるガス機器の操作機構の提供にある。
【０００５】
【課題を解決するための手段】
この発明は、内部にガス流路が設けられたガス機器のボディと、該ボディの開口からボディ内に差し込まれて弁体を動作させるガスコックの操作軸と、ボディの開口面に取り付けられるベース板および該ベース板に付設されて、操作軸を保持する操作軸ガイドを有する操作軸保持手段と、操作軸ガイドとベース板との間に設けられて、圧電装置の回動レバーを押圧するスプリングとを備えたガス機器の操作機構であって、ベース板に設けられた一対の被係止部と、操作軸ガイドに被係止部と係合するように設けられた係止部とを有し、被係止部は、ベース板に設けた係止縁または爪であり、係止部は、操作軸ガイドの脚部に設けた爪または係止縁であり、爪の内側には膨出部からなる係止突起を形成し、係止縁の前面には、傾斜面が形成され、係止縁に爪の係止突起が係合する際、爪は傾斜面をスライドして脚部を弾性変形させるようになっており、操作軸ガイドをベース板に係止させた仮止め状態で、操作軸ガイドおよびベース板をボディの前面に締結することを特徴とする。
【０００６】
【発明の作用効果】
この発明では、操作軸ガイドの係止部とベース板の被係止部とを係合させて係止させ、つぎに操作軸ガイドおよびベース板を共にガスコックのボディに締結している。このため、つぎの効果を奏する。
１）手または簡単な自動組立装置によりベース板と操作軸ガイドとの仮組付が可能である。
２）ベース板の締結穴および操作軸ガイドの締結穴を合致させておくことで、同時締結が可能であるため組付作業が簡単になる。
３）操作軸ガイドがボディに締結できるため、操作機構の構造強度が上がり、操作軸ガイドでの製品（ガスこんろのハウジングなど）への前板固定が可能となる。
４）専用のプレス機が不要で製造設備が低コストになる。
【０００７】
この発明の構成では、係止縁の前面に傾斜面を設けているので、爪の先端が傾斜面に押圧されると、操作軸ガイドの脚部および爪が外側に弾性変形し易くなる。このため、ベース板に対して操作軸ガイドを仮止めする作業が円滑になる。
また、爪の内側に係止突起を設けているので、この係止突起により、操作軸ガイドの脚部および爪の弾性変形量を設定できるものである。この場合、係止突起の膨出高さの加工設定が容易であるため、操作軸ガイドの脚部および爪の弾性変形量が安定し、作業性のばらつきが生じ難い。また、係止縁に対する係止突起の係合後、係止突起が係止縁に引っ掛かって抜け止め状態に固定される。
【０００８】
【発明の実施の形態】
図１〜図３は、ガスこんろに使用されるガスコック組立部品（アッセンブリー）１００を示し、この発明のガス機器の操作機構１およびコック本体１０とからなる。コック本体１０は、図３に示す如く、開口面としての前面開口２１を有する中空の主胴部２０を備えたガスコックのボディ２、該ボディ２の前面開口２１から奥部に弁体として差し込まれる略円筒状の回動弁体２２、該回動弁体２２内に差し込まれて、軸方向に往復動するロッド２３を有する。
【０００９】
操作機構１は、前端に摘みが取り付けられるコックの操作軸３、および該操作軸３を回動および前後動可能に保持する操作軸３の操作軸保持手段３０とからなる。操作軸保持手段３０は、該操作軸３をボディ２に取り付けるためのベース板４および操作軸ガイド５からなる。
【００１０】
前面開口２１の周囲のボディ２の前面２Ａは操作機構１の締結面となっており、左右に突き出した突出し部にはネジ穴２Ｂ、２Ｂが形成されている。ボディ２とロッド２３との間には、Ｏリング２４、Ｏリングスペーサー２５、Ｏリング２６、Ｏリング押さえワッシャー２７、ロッドリターンスプリング２８が介装されている。
【００１１】
これらは、ガスの開閉弁および火力調整弁を構成しており操作軸３により前後動または回動操作される。主胴部２０には、バーナへのガス流出管１１、パイロットバーナへの連絡管１２が枝管状に一体成型されるとともに、マニホールド管１３を接続するためのガス管接続部１４が突設されている。
【００１２】
ボディ２の前部には、操作軸リターンスプリング３１が背設された操作軸３の後端部３２が差し込まれている。操作軸３の中間部は、ボディ２の前面２Ａに締結されるベース板４および操作軸ガイド５により保持されている。操作軸３の前端部には図示しない摘みが取り付けられ、回動弁体２２の回動およびロッド２３の軸方向移動がなされる。
【００１３】
ベース板４は、操作軸３が挿通する挿通穴４１、該挿通穴４１の左右両側にはネジ穴２Ｂ、２Ｂに対応した締結穴４２、４２、挿通穴４１の斜め下方には操作軸３の回転止め穴４３を有する。締結穴４２、４２の外側には、矩形の切り欠きにより形成した被係止部４４、４４が形成されている。被係止部４４、４４の係止縁４５、４５の前角は、傾斜面４６、４６となっている。ベース板４は、鉄板を所定の形状にプレス成型して形成されており、被係止部４４、４４および傾斜面４６、４６は、低コストに同時成形できる。
【００１４】
操作軸ガイド５は、所定形状にプレス成型された帯状の鉄板を略冂型に折り曲げて形成され、操作軸３を保持する保持穴５１が形成された横長の保持部５２、該保持部５２の左右の両端から直角に折り曲げた脚部５３、５３を有する。脚部５３、５３の先端には、外側に直角に折り曲げて形成されベース板４の表面に当接する足板部５４、５４が設けられている。
【００１５】
保持部５２の保持穴５１の両側には、図１に示す如く、ガスこんろのハウジングＨの前板１Ａに裏面から操作軸ガイド５を締結するための締結穴５５、５５が形成されている。前板１Ａには、操作軸３の挿通穴１５が開けられ、その両側に締結穴１Ｂ、１Ｂが形成されている。
【００１６】
ガスコック組立部品１００は、ネジ１Ｃ、１Ｃにより操作軸ガイド５を前板１Ａに締結してハウジングＨに固定される。この固定方法により、マニホールド管１３を複数箇所でハウジングＨに固定する固定方法に比較し、操作軸３と挿通穴４１との軸芯の一致が容易になるとともに、ガスコック組立部品１００の固定強度が増大できる。
【００１７】
足板部５４、５４には、締結穴４２、４２に対応する締結穴５６、５６が開けられ、足板部５４、５４の外側端には被係止部４４、４４に対応して直角に折り曲げられた係止爪５７、５７が係止部の爪として形成されている。係止爪５７、５７の内側面には、係止爪５７、５７の外側面から打ち出しにより形成した球面状の膨出部からなる係止突起５８、５８が形成されている。
【００１８】
ベース板４の上部には横長で略矩形の点火装置取付穴６０が設けられ、圧電素子６１、ハンマー６２、ハンマースプリング６３が設置されている。操作軸３には、スプリング６４により基部がベース板４の表面に押圧された回動レバー６５が設けられ、圧電装置６が構成されている。
【００１９】
ベース板４および操作軸ガイド５のボディ２への組付はつぎのようになされる。ベース板４の被係止部４４、４４に、操作軸ガイド５の係止爪５７、５７の先端を押しつけると、脚部５３、５３が弾性変形して外側に開きながら、傾斜面４６、４６を滑って係止爪５７、５７の係止突起５８、５８が被係止部４４、４４を通過して係止縁４５、４５に係合し、抜け止め状態に固定される。これによりベース板４および操作軸ガイド５のサブアッセンブリーが手または簡単な自動組付装置で効率よく組付できる。つづいて、ネジ１６、１６を締結穴５６、５６および締結穴４２、４２を通してネジ穴２Ｂ、２Ｂに締結する。
【００２０】
この実施例では、ベース板４に操作軸ガイド５を仮止めする際に、係止突起５８、５８の高さ分だけ操作軸ガイド５の脚部５３、５３を弾性変形させ、係止突起５８、５８が係止縁４５、４５を通過すると、上記弾性変形が解消されて係止突起５８、５８は係止縁４５、４５の後縁側に確実に係止される。このため、手作業による組付作業が容易であるとともに確実に抜け止め固定される。
【００２１】
また、仮止めされた操作軸ガイド５とベース板４をボディ２に同時に締結しているため、締結作業が簡単であると同時に操作軸３の保持機構の構造強度が大きい。さらに、操作軸ガイド５を、ガス機器のケーシングにネジで固定することにより、操作軸３のケーシングに対する位置決めが正確かつ強固にできる。
【００２２】
上記実施例では、ベース板４に被係止部４４を形成し操作軸ガイド５に係止爪５７を設けているが、ベース板４に係止爪を形成し操作軸ガイド５に被係止部を設けてもよい。また、被係止部と係止部とは、ワンタッチで組付できる構成であれば、切り欠きの縁と爪との組み合わせ以外であってもよいことは当然である。
【図面の簡単な説明】
【図１】ガスコックアッセンブリーの斜視図である。
【図２】ガスコックアッセンブリーの正面図である。
【図３】ガスコックアッセンブリーの組付図である。
【図４】操作軸保持手段の要部の組付図である。
【図５】操作軸保持手段の裏側の斜視図である。
【符号の説明】
１    ガス機器の操作機構
２    ガスコックのボディ
２Ａ  ガスコックのボディの前面
２１  前面開口（ボディの開口面）
２２  回動弁体（弁体）
３    操作軸
３０  操作軸保持手段
４    ベース板
４４  被係止部
４５  係止縁
４６  傾斜面
５    操作軸ガイド
５３  脚部
５７  係止爪（係止部、爪）
５８  係止突起
【図１】
0003708406.tif 000002
【図２】
0003708406.tif 000003
【図３】
0003708406.tif 000004
【図４】
0003708406.tif 000005
【図５】
0003708406.tif 000006